(57)【要約】【課題】自然環境の保護に適した断熱パネル及びそれを用いたコンテナーを提供すること。【解決手段】本発明の断熱パネルは、古紙のリサイクルにより製造される紙製断熱材（３）と、該紙製断熱材（３）の一方の面に装着した外側パネル材（２）と、前記紙製断熱材（３）の他方の面に装着した内側パネル材（４）と、により構成されることを特徴としており、本発明のコンテナは、パネル材を略四角形状に組み立てるとともに、ドアパネルを開閉自在に取り付けてなるコンテナにおいて、パネル材として、前記断熱パネル（１）を用いたことを特徴としている。そしてこれにより、新たな資源を用いることなく、また焼却の際に有毒廃棄物を排出することのない断熱材を用いた断熱パネル及びコンテナとすることができ、自然環境の保護に適したものにすることが可能である。【選択図】              図１
2004250083.tif 000002
【特許請求の範囲】
【請求項１】
古紙のリサイクルにより製造される紙製断熱材（３）と、
該紙製断熱材（３）の一方の面に装着した外側パネル材（２、７）と、
前記紙製断熱材（３）の他方の面に装着した内側パネル材（４、７）と、により構成されることを特徴とする断熱パネル
【請求項２】
前記外側パネル材（２）がプラスチックダンボールであることを特徴とする請求項１に記載の断熱パネル。
【請求項３】
前記外側パネル材（７）及び内側パネル材（７）がアルミ製パネルであることを特徴とする請求項１に記載の断熱パネル。
【請求項４】
前方パネル（１２）と、一対の側方パネル（１３）と、上方パネル（１４）とを、複数本のフレーム（１６）を用いて略四角形状に組み立てるとともに、前記前方パネル（１２）に対向する側にドアパネル（１５）を開閉自在に取り付けてなるコンテナにおいて、
前記前方パネル（１２）、一対の側方パネル（１３）及び上方パネル（１４）として、請求項１乃至請求項３に記載の断熱パネルを用いたことを特徴とするコンテナ。
【請求項５】
前方パネル（１２）と、一対の側方パネル（１３）と、上方パネル（１４）と、底部パネル（２３）とを、複数のフレーム（１６）を用いて略四角形状に組み立てるとともに、前記前方パネル（１２）に対向する側にドアパネル（１５）を開閉自在に取り付けてなるコンテナであって、
前記前方パネル（１２）、一対の側方パネル（１３）、上方パネル（１４）及び底部パネル（２３）として、請求項１乃至請求項３に記載の断熱パネルを用いたことを特徴とするコンテナ。
【発明の詳細な説明】
【０００１】
【発明の属する技術分野】
本発明は断熱パネル及びそれを用いたコンテナに係り、より詳しくは、古紙のリサイクルにより製造される紙製の断熱材を用いた断熱パネル及びそれを用いたコンテナに関する。
【０００２】
【従来の技術】
従来から、貨物の保管、輸送に際しては貨物コンテナが使用されているが、この貨物コンテナの中には、断熱パネルを用いて、これによりコンテナ内の保温を可能としたものが提供されている。
【０００３】
例えば、本発明者は、過去において、プラスチックダンボールの内部に発泡スチロール等の断熱材を充填した断熱パネルを提案するとともに、この断熱パネルを用いて構成したコンテナを開示している。
【０００４】
そして、これによれば、夏場等の周囲温度が高い場合でも、コンテナ内部の温度上昇を抑えることが可能である。
【０００５】
【特許文献１】特開２０００−１４４９６７号公報
【発明が解決しようとする課題】
ところで、近年、自然環境の保護が強く叫ばれており、そのために、焼却の再に有毒ガスが発生しない素材の開発が各方面で進められているとともに、資源を再利用した素材の開発が進められている。
【０００６】
しかしながら、従来から断熱材として用いられていた発泡スチロール等では、資源を再利用したものでないとともに、これを焼却する際に有毒廃棄物が発生することが知られており、これを用いて断熱パネルを製造することは、自然環境の保護という観点から好ましくない。
【０００７】
そこで、本発明は、自然環境の保護に適した断熱パネル及びそれを用いたコンテナーを提供することを課題としている。
【０００８】
【課題を解決するための手段】
近年、紙が持つ繊維組織を活用して断熱効果を得ることを可能とした、古紙のリサイクルにより製造される紙製断熱材が提供されており、その用途が模索され始めている。
【０００９】
即ち、この紙製断熱材では、古紙のリサイクルにより製造されるために、新たな資源を用いることが無いとともに、焼却の際に有毒廃棄物を発生することもない、という利点があるため、これを利用した各種製品の開発が各方面で模索されはじめている。
【００１０】
そこで、本発明者は、この紙製断熱材の存在に着目して、自然環境の保護に適した断熱コンテナーを発明した。
【００１１】
即ち、本発明の断熱パネルは、古紙のリサイクルにより製造される紙製断熱材と、該紙製断熱材の一方の面に装着した外側パネル材と、前記紙製断熱材の他方の面に装着した内側パネル材と、により構成されることを特徴としており、及び本発明のコンテナは、パネル材を略四角形状に組み立ててなるコンテナにおいて、パネル材として、前記断熱パネルを用いたことを特徴としている。
【００１２】
このように、本発明の断熱パネルでは、断熱材の素材として、古紙のリサイクルにより製造される紙製断熱材を用いて構成している。そのため、新たな資源を用いることなく断熱材を調達することができ、また焼却の際に有毒廃棄物を排出することもない断熱材とすることができるために、自然環境の保護に適した断熱パネルを得ることが可能である。
【００１３】
また、本発明のコンテナは、パネル材として前記断熱パネルを用いているために、同様にして、自然環境の保護に適したコンテナとすることが可能である。
【００１４】
【実施例】
本発明の断熱パネルの実施例について説明すると、図１は、本実施例の断熱パネルの構造を示した断面図であり、図において１が、本実施例の断熱パネルである。
【００１５】
そして、図において３は、本実施例の断熱パネル１に用いられる断熱材であり、本実施例においてこの断熱材３は、古紙をリサイクルして製造される紙製の断熱材を用いている。
【００１６】
即ち、近年になり古紙を再利用した各種紙製素材が開発されており、その中には、紙の持つ繊維組織を活用した断熱材も開発されている。そこで、本実施例の断熱パネルにおいては、断熱材の素材として、この古紙のリサイクルにより製造される紙製断熱材を用いている。
【００１７】
ここで、図４は、本実施例に用いる前記紙製断熱材３を示した図であり、本実施例における前記紙製断熱材３は、古紙のリサイクルにより製造した、細長状の紙製発泡材３０１を、多数本互いに接着させて板状にした紙製断熱材を用いている。但し、必ずしもこのような形態の紙製断熱材に限定されるものではなく、古紙のリサイクルにより製造した紙製断熱材であればいずれを用いてもよい。
【００１８】
このように、本実施例においては、古紙のリサイクルにより製造される断熱材を用いているために、例えば発泡スチロール等を断熱材として用いた場合と異なり、新たな資源を用いる必要がなく、また、焼却した際に有毒廃棄物を排出することもない断熱材を用いた断熱パネルとすることが可能である。
【００１９】
次に、本実施例の断熱パネルでは、前記断熱材３の一方の面には、外側パネル材２が装着されており、また、前記断熱材３の他方の面には、内側パネル材４が装着されている。
【００２０】
そして、本実施例の断熱パネル１において、前記外側パネル材２としては、ポリプロピレン製のプラスチック段ボールを用いており、また内側パネル材４としては、厚紙により製造した平板状のパネル材を用いており、前記断熱材３を挟み込むような配置で、前記外側パネル材２と内側パネル材４をボルト５により連結して、これにより断熱パネル１を構成している。
【００２１】
ここで、図３は、前記ポリプロピレン製のプラスチック段ボールを示す図であり、本実施例における前記プラスチック段ボールは、一方の面板２０１の片面に、複数枚の細長形状の芯材２０３を、前記一方の面板２０１と直交する方向に連設し、更に、前記芯材２０３の他端には、他方の面板２０２を、前記一方の面板２０１と平行方向に連設することにより構成されたものを用いており、前記面板２０１、２０２、及び芯材２０３をポリプロピレン製としている。
【００２２】
なお、前記内側パネル材４としては、必ずしも厚紙を用いる必要はなく、その他、合板製パネル材、木材製パネル材、耐熱性樹脂パネル材、金属製パネル材を用いてもよい。
【００２３】
また、前記プラスチック段ボールとしては、必ずしもポリプロピレン製とする必要もなく、その他、例えばポリカーボネート製のものを用いてもよい。
【００２４】
更に、図２は本発明の断熱パネルの他の形態の説明するための断面図であり、本形態の断熱パネル６では、前記外側パネル材２及び内側パネル材４ともに、厚さ１ミリのアルミ製のパネル材７を用いており、これによって本発明の断熱パネルを構成してもよい。
【００２５】
次に、本発明のコンテナの実施例について図面を参照にして説明すると、図５は、本実施例のコンテナを示す斜視図であり、図において１１が本実施例のコンテナである。また、図６は、本実施例のコンテナ１１の構造を平面側から示した端面図であり、更に、図７は、本実施例のコンテナ１１の構造を後方側から示した端面図である。
【００２６】
そして、本実施例のコンテナ１１は、前方パネル１２と、一対の側方パネル１３と、上方パネル１４とを、コーナーフレーム１６によって略四角形状に組み付けるとともに、前記前方パネル１２に対向する側には、端部フレーム１７を介して、ドアパネル１５を開閉自在に装着することにより構成されている。
【００２７】
即ち、図において１２は前方パネル、また１３は一対の側方パネルであり、本実施例においては、前記前方パネル１２と一対の側方パネル１３は、コーナーフレーム１６を用いることにより、前方パネル１２を右側にした平面視野において（図６参照）、略コ字形状になるように連結されており、更に、本実施例においては、一対の側方パネル１３における前記前方パネル１２に連結される側に対向する端部、及び一対の側方パネル１３の下端部に端部フレーム１７が装着されている。
【００２８】
次に、図７において１４は上方パネルであり、本実施例においてこの上方パネル１４は、コーナーフレーム１６を用いて、前記前方パネル１２及び前記一対の側方パネル１３の上方に連結されている。
【００２９】
次に、図５及び図６において１５は、前記前方パネル１２に対向する側に開閉自在に装着されたドアパネルであり、本実施例においてこのドアパネル１５は、蝶番等のヒンジ２０を介して、前記一対の側方パネル１３の一端部に装着した端部フレーム１７に連結されている。
【００３０】
そして、本実施例において、前記前方パネル１２、一対の側方パネル１３、前記上方パネル１４及びドアパネル１５はともに、前述した、古紙のリサイクルにより製造した、紙製断熱材を用いた断熱パネルにより形成されている。
【００３１】
このように、本実施例のコンテナ１１では、古紙のリサイクルにより製造した紙製断熱材を用いた断熱パネルを用いて構成されているために、新たな資源を用いることなく製造可能であるとともに、パネルを廃棄処分する際には、有毒廃棄物を排出することがなく、自然環境の保護に適したコンテナにすることが可能である。
【００３２】
また、フレームを用いて各パネルを略四角形状に組み立てているために、解体が可能であり、パネル材のリサイクルにも適している。
【００３３】
次に、前記コーナーフレーム１６について説明すると、図１５は、本実施例に用いられるコーナーフレーム１６を示す斜視図である。
【００３４】
そして、図にも示されるように、前記コーナーフレーム１６は、側面形状が略Ｌ字形状の長尺状物であるとともに、長手方向に沿った両端には、前記パネルの端部を挿入固定可能な長溝１６０１、１６０２が形成されている。そのため、この長溝１６０１、１６０２にパネル材の端部を挿入することにより、２枚のパネルを略直角に連結して固定することが可能となる。
【００３５】
このように、本実施例におけるコンテナ１１では、パネル材を挿入固定可能なコーナーフレーム１６を用いて前方パネル１２，一対の側方パネル１３，及び上方パネル１４を略四角形状に連結しているために、ネジ等により各パネルを連結した場合と異なり、各パネルが何らかの理由で衝撃を受けた場合の応力を分散させることができ、各パネルの耐久性を高めることができるとともに、解体が自在であり、リサイクルにも適しているという利点がある。
【００３６】
次に、このように構成される本実施例の貨物コンテナ１を組み立てる方法の一例を説明すると、図８は、前方パネル１２と一対の側方パネル１３とを、コーナーフレーム１６によって連結した状態を平面から示した図であり、本実施例のコンテナ１１を組み立てる場合には、図８に示すように、コーナーフレーム１６によって、前方パネル１２、及び一対の側方パネル１３を、前方パネル１２を右側にした平面視野において略コ字状になるように連結するとともに、前記一対の側方パネル１３における前方パネル１２と対向する側の端部に端部フレーム１７を装着する。そしてこの場合において、図示しないが、前方パネル１２及び一対の側方パネル１３の下端部には、他のコーナーフレーム１６及び他の端部フレーム１７と重ならないようにして、端部フレーム１７を装着しておくとよい。
【００３７】
なおこのとき、図９に示すように、前方パネル１２及び一対の側方パネル１３の高さ方向の長さよりも僅かに短い長さのコーナーフレーム１６及び端部フレーム１７を用いて、前方パネル１２及び一対の側方パネル１３の上端部分がコーナーフレーム１６及び端部フレーム１７の上端部分より突出するようにしておく。
【００３８】
次に、前記前方パネル１２と一対の側方パネル１３の連結と相前後して、上方パネル１４における、前方パネル１２、及び一対の側方パネル１３に連結される部分にコーナーフレーム１６の一方の長溝１６０１を挿入しておくとともに、前方パネル１２に連結される側に対向する側には端部フレーム１７を連結しておく。この状態を平面から示した図が図１０であり、また、図１０におけるＡ−Ａ線端面図が図１１、Ｂ−Ｂ線端面図が図１２である。
【００３９】
なお、本実施例において前記端部フレーム１７としては、溝型鋼形状の長尺物を用いており、前記コーナーフレーム及び端部フレームともにアルミ製としている。但し、必ずしもアルミ製にする必要は無く、樹脂製等としても良い。
【００４０】
次に、前記突出させた前方パネル１２及び一対の側方パネル１３の上端に、前記上方パネル１４の端部に装着したコーナーフレーム１６の他方の長溝１６０２内を挿入するとともに、一対の側方パネルの端部に装着した端部フレーム１７に、蝶番等のヒンジを介してドアパネル１５を開閉自在に装着し、これにより本実施例のコンテナ１１が完成する。
【００４１】
このように、本実施例のコンテナ１１では、パネルの端部を挿入する長溝を有するコーナーフレーム１６及び端部フレーム１７を用いて、このコーナーフレーム１６及び端部フレーム１７の前記長溝内にパネルを挿入するのみで組み立てることができるので、ネジ等を用いてパネルを連結する方法と異なり、組立及び解体が極めて容易であるとともに、各パネルが何らかの理由で衝撃を受けた場合の応力を分散させることができ、各パネルの耐久性を高めることができるとともに、解体が自在であり、リサイクルにも適している。
【００４２】
なお、図５において２１はコーナー用ブラケットであり、このコーナー用ブラケット２１は、適宜、完成したコンテナ１１の４角にボルト等によって装着するとよく、これによってコンテナ１１をより強固に組み付けることが可能である。
【００４３】
また、前述した説明では、一対の側方パネル１３の底部に下端部に端部フレーム１７を装着している状態を示しているが、必ずしも、一対の側方パネル１３の下端部に端部フレーム７を装着する必要は無い。
【００４４】
なお、本実施例におけるコンテナは、貨物自動車の荷台等に装着される貨物コンテナ（いわゆる「リアパネル」）であり、そのために、底部パネルを有さず、貨物自動車の荷台床面を底部パネルに兼用する形態であるが、このほか、前方パネル１２及び一対の側方パネル１３の下端に、コーナーフレーム１６を用いて底部パネル２３を連結し、これにより、コンテナ単体としても機能可能にしてもよい。この形態のコンテナ２２の構造を後方側から示した断面図が図１３であり、図１３に示す形態のコンテナ２２を組み立てる際には、図１４に示すように、前方パネル１２と一対の側方パネル１３との連結に際しては、前方パネル１２及び一対の側方パネル１３の高さ方向の長さよりも僅かに短い長さのコーナーフレーム１６及び端部フレーム１７を用いて、前方パネル１２及び一対の側方パネル１３の上端部分及び下端部分が、コーナーフレーム１６、端部フレーム１７の上端部分及び下端部分より突出するようにしておく。
【００４５】
【発明の効果】
本発明の断熱パネル及びそれを用いたコンテナは以上説明したような形態で実施され、以下に記載するような効果を奏する。
【００４６】
本発明の断熱パネルは、古紙のリサイクルにより製造される紙製断熱材と、該紙製断熱材の一方の面に装着した外側パネル材と、前記紙製断熱材の他方の面に装着した内側パネル材と、により構成されることを特徴としており、及び本発明のコンテナは、パネル材を略四角形状に組み立ててなるコンテナにおいて、パネル材として、前記断熱パネルを用いたことを特徴としており、及び、本発明のコンテナは、パネル材として前記断熱パネルを用いている。
【００４７】
このように、本発明の断熱パネルでは、断熱材の素材として、古紙のリサイクルにより製造される紙製断熱材を用いて構成しているため、新たな資源を用いることなく断熱材を調達することができ、また焼却の際に有毒廃棄物を排出することもない断熱材とすることができるために、自然環境の保護に適した断熱パネルを得ることが可能である。
【００４８】
また、本発明のコンテナでは、パネル材として、古紙のリサイクルにより製造される紙製断熱材を用いた前記断熱パネルを用いているため、自然環境の保護に適したコンテナとすることが可能である。
【図面の簡単な説明】
【図１】本発明の断熱パネルの実施例を説明するための断面図である。
【図２】本発明の断熱パネルの他の形態を説明するための断面図である。
【図３】本発明の断熱パネルの実施例に用いるプラスチック段ボールを説明するための図である。
【図４】本発明の断熱パネルの実施例に用いる紙製断熱材を説明するための図である。
【図５】本発明のコンテナの実施例を示す斜視図である。
【図６】本発明のコンテナの実施例の構造を平面側から示した端面図である。
【図７】本発明のコンテナの実施例の構造を後方側から示した端面図である。
【図８】本発明のコンテナの実施例の組立方法を説明するための図である。
【図９】本発明のコンテナの実施例の組立方法を説明するための図である。
【図１０】本発明のコンテナの実施例の組立方法を説明するための図である。
【図１１】本発明のコンテナの実施例の組立方法を説明するための図である。
【図１２】本発明のコンテナの実施例の組立方法を説明するための図である。
【図１３】本発明のコンテナの他の形態の構造を後方側から示した端面図である。
【図１４】本発明のコンテナの他の形態の組立方法を説明するための図である。
【図１５】本発明のコンテナの実施例に用いられるコーナーフレームを説明するための図である。
【符号の説明】
１、６    断熱パネル
２、７    外側パネル材
３    紙製断熱材
４、７    内側断熱材
５    ボルト
１１、２２  コンテナ
１２    前方パネル
１３    側方パネル
１４    上方パネル
１５    ドアパネル
１６    コーナーフレーム
１７    端部フレーム
２０    ヒンジ
２１    ブラケット
２３    底部パネル
【図１】
2004250083.tif 000003
【図２】
2004250083.tif 000004
【図３】
2004250083.tif 000005
【図４】
2004250083.tif 000006
【図５】
2004250083.tif 000007
【図６】
2004250083.tif 000008
【図７】
2004250083.tif 000009
【図８】
2004250083.tif 000010
【図９】
2004250083.tif 000011
【図１０】
2004250083.tif 000012
【図１１】
2004250083.tif 000013
【図１２】
2004250083.tif 000014
【図１３】
2004250083.tif 000015
【図１４】
2004250083.tif 000016
【図１５】
2004250083.tif 000017